(57)【要約】本発明は、ＣＤＭＡ（Ｃｏｄｅ  Ｄｉｖｉｓｉｏｎ  Ｍｕｌｔｉｐｌｅ  Ａｃｃｅｓｓ）移動通信システムにおける下り制御チャネルの構造及びその運用方法に関する。特に、物理的共有チャネルを制御チャネルに使用する場合に適した下り制御チャネル構造及びこれを利用した時間−符号分割方法を提案する。このために、本発明は、物理的共有チャネルをシグナリング情報を伝送するための制御チャネルとして使用するシステムにおいて、単位チャネルを利用して１つの共有チャネルが時間単位の直交コードとシンボル単位の直交コードにより分割される下り制御チャネル構造を提供する。
2006513677.tif 000002
【特許請求の範囲】
【請求項１】
制御チャネルとして物理的共有チャネルを使用するシステムにおいて、
単位チャネルを利用して１つの共有チャネルを時間単位及びシンボル単位の直交コードに同時に分割することにより制御チャネルを割り当てることを特徴とする下り制御チャネルの割り当て方法。
【請求項２】
前記単位チャネルの長さが、最初に生成された単位アダマール符号の長さにより決定されることを特徴とする請求項１に記載の下り制御チャネルの割り当て方法。
【請求項３】
前記単位アダマール符号の長さが、使用可能な直交コードの数と伝送チャネルの特性により決定されることを特徴とする請求項２に記載の下り制御チャネルの割り当て方法。
【請求項４】
前記単位アダマール符号が、シルベスター（Ｓｙｌｖｅｓｔｅｒ）方法により新しいアダマール符号に拡張されることを特徴とする請求項２に記載の下り制御チャネルの割り当て方法。
【請求項５】
前記拡張されたアダマール符号の長さが、単位アダマール符号の長さの整数倍であることを特徴とする請求項４に記載の下り制御チャネルの割り当て方法。
【請求項６】
１つの伝送区間で共有チャネルを複数の単位チャネルに分割する段階と、
伝送される制御情報のサイズによって前記分割された単位チャネルに可変直交コードチャネルを割り当てる段階と、
前記割り当てられた可変直交コードチャネルで制御情報を伝送する段階と、
を含むことを特徴とする下り制御チャネルの割り当て方法。
【請求項７】
前記単位チャネルが、制御チャネルの基本割り当て単位であることを特徴とする請求項６に記載の下り制御チャネルの割り当て方法。
【請求項８】
前記単位チャネルの長さが、最初に生成された単位アダマール符号の長さにより決定されることを特徴とする請求項６に記載の下り制御チャネルの割り当て方法。
【請求項９】
前記単位アダマール符号の長さが、使用可能な直交コードの数と伝送チャネルの特性により決定されることを特徴とする請求項８に記載の下り制御チャネルの割り当て方法
【請求項１０】
前記単位アダマール符号が、シルベスター方法により新しいアダマール符号に拡張されることを特徴とする請求項８に記載の下り制御チャネルの割り当て方法。
【請求項１１】
前記可変直交コードチャネルが、単位アダマール符号チャネル又は前記単位アダマール符号チャネルから拡張されたアダマール符号チャネルであることを特徴とする請求項６に記載の下り制御チャネルの割り当て方法。
【請求項１２】
前記拡張されたアダマール符号の長さが、単位アダマール符号の長さの整数倍であることを特徴とする請求項１１に記載の下り制御チャネルの割り当て方法。
【請求項１３】
前記１つの単位チャネルに単位アダマール符号チャネルが割り当てられるか、又は、いくつかの単位チャネルに１つの拡張されたアダマール符号チャネルが割り当てられることを特徴とする請求項６に記載の下り制御チャネルの割り当て方法。
【請求項１４】
端末から伝送されたシグナリング情報をグループに分類する段階と、
前記分類された各グループに直交コードチャネルを割り当てる段階と、
前記割り当てられた各直交コードチャネルの送信電力を個別に制御する段階と、
から構成されることを特徴とするチャネル電力制御方法。
【請求項１５】
前記直交コードチャネルが、アダマール符号であることを特徴とする請求項１４に記載のチャネル電力制御方法。
【請求項１６】
前記アダマール符号が、単位アダマール符号又は拡張されたアダマール符号であることを特徴とする請求項１５に記載のチャネル電力制御方法。
【請求項１７】
前記拡張アダマール符号が、単位アダマール符号をシルベスター方法により拡張したコードであることを特徴とする請求項１６に記載のチャネル電力制御方法。
【請求項１８】
前記シグナリング情報が、上位レイヤの制御情報により分類されることを特徴とする請求項１４に記載のチャネル電力制御方法。
【請求項１９】
前記各コードチャネルの電力が、上り送信電力又は送信電力マージンにより制御されることを特徴とする請求項１４に記載のチャネル電力制御方法。
【請求項２０】
低い電力又は高い伝送率を要求するグループには短いアダマール符号チャネルが割り当てられ、高い電力又は低い伝送率を要求するグループには長いアダマール符号チャネルが割り当てられることを特徴とする請求項１４に記載のチャネル電力制御方法。
【請求項２１】
高い信号対雑音比（ＳＮＲ）及び低い伝送率を要求するチャネルが優先的に長いアダマール符号チャネルに割り当てられることを特徴とする請求項１４に記載のチャネル電力制御方法。
【発明の詳細な説明】
【技術分野】
【０００１】
本発明は、符号分割多重接続方式（Ｃｏｄｅ  Ｄｉｖｉｓｉｏｎ  Ｍｕｌｔｉｐｌｅ  Ａｃｃｅｓｓ：  ＣＤＭＡ）の移動通信システムにおけるチャネル割り当て方法に関し、特に、制御チャネルとして物理的共有チャネルを使用する場合に適する下り（ｄｏｗｎｌｉｎｋ）制御チャネル割り当て方法に関する。
【背景技術】
【０００２】
一般に、ＣＤＭＡ方式のＩＭＴ−２０００システムにおいて下りチャネルは、直交可変拡散率（Ｏｒｔｈｏｇｏｎａｌ  ｖａｒｉａｂｌｅ  ｓｐｒｅａｄｉｎｇ  ｆａｃｔｏｒ：  ＯＶＳＦ）符号又はウォルシュコード（Ｗａｌｓｈ  Ｃｏｄｅ）のような直交コードを伝送ビットに乗算して拡散する方式を採択する。最近、ＩＭＴ−２０００システムのアップリンクの伝送率を増加させるために、新しいデータ専用チャネルの伝送方式を定めるための議論が進められている。前記データ専用チャネルをアップリンクに適用する場合、下り制御チャネルの特徴は次の通りである。  
【０００３】
まず、アップリンクＥ−ＤＣＨ（Ｅｎｈａｎｃｅｄ  Ｄｅｄｉｃａｔｅｄ  ｃｈａｎｎｅｌ）の運用に必要な新しいシグナリング情報（制御信号）がダウンリンクに必要であると仮定する。前記情報は、自動再送要求（Ａｕｔｏｍａｔｉｃ  Ｒｅｐｅａｔ  Ｒｅｑｕｅｓｔ：  ＡＲＱ）、スケジューリング及び多様な他のケースと関連して考慮することができる。このようなシグナリング情報は、高い信頼度を要求するが、データ量が少ないため、共有チャネルを通じて多重化されて複数の端末に伝送される。ここで、ダウンリンクにおいてＬ１シグナリングのための物理チャネル構造のための要求事項は次の通りである。
【０００４】
・ダウンリンク上のＬ１シグナリングは、ダウンリンクのデータ専用チャネルとは独立して存在することが望ましい。
【０００５】
・全てのユーザーのシグナリングは、伝送時間間隔（ｔｒａｎｓｍｉｓｓｉｏｎ  ｔｉｍｅ  ｉｎｔｅｒｖａｌ  ：  ＴＴＩ）ごとに伝送されなければならない。
【０００６】
・シグナリング情報は、遅延現象を減らすためにデインタリービング（ｄｅｉｎｔｅｒｌｅａｖｉｎｇ）の以前に端末によって検出されなければならない。
ダウンリンクシグナリングのために提案された既存の方法は次の通りである。
【０００７】
第１の方法は、既存の下りデータ／制御チャネルを利用してシグナリング情報を伝送する方法である。すなわち、この方法は、シグナリング情報のサイズが大きくないため、下り制御チャネルのフレーム構造を変更することによりシグナリング情報を伝送するか、又は、下りデータチャネルをパンクチャリングした後、残りの空間を利用することによりシグナリング情報を伝送することができる。また、前記方法は、下りデータチャネルの伝送率を増加させることによりシグナリング情報を伝送することもできる。
【０００８】
第２の方法は、独立した直交コードチャネルを利用する方法である。この方法は、各端末に独立した直交コードチャネルを利用してシグナリング情報を伝送する方法である。この場合、独立した物理チャネルがダウンリンクＬ１シグナリングの伝送のために使用される。前記物理チャネルは、各端末の専用チャネル又は複数の端末機のための共有チャネルとして使用される。
【０００９】
また、前記独立した直交コードチャネルを利用する方法は、専用チャネルを使用する方法と共有チャネルを利用する方法とに区別される。前記専用チャネルを使用してシグナリング情報を伝送する方法は、各端末に独立した直交コードチャネルを割り当ててシグナリング情報を伝送する方式である。
【００１０】
また、前記共有チャネルを使用する方法は、時分割共有チャネルを使用する方法と、シンボル単位の直交コード分割多重化方法とに大別される。
【００１１】
前記時分割共有チャネルを使用する方法は、１つの直交チャネルを時分割して複数のユーザーに割り当てる方式であり、１つのＴＴＩをユーザー数で分割した後、その分割された時間区間を各ユーザーに割り当ててシグナリング情報を伝送する。ここで、要求されるシグナリング情報のサイズにより割り当てられるビット数が変化する。
【００１２】
前記シンボル単位の直交コード分割多重化方法は、シンボル単位の直交信号を利用してシグナリング情報を伝送する方式である。すなわち、一般に、ＣＤＭＡダウンリンクにおいて、直交コードチャネルはチップ単位の直交信号を利用し、前記直交コードチャネルを拡張するために、シンボル単位の直交信号を利用してシグナリング情報を伝送する。この場合、前記直交信号は、一般に、アダマール符号を利用して拡張され、データは、最大伝送ユーザー数をサポートし得るアダマール符号を利用して伝送される。
【００１３】
しかしながら、データ専用チャネルをアップリンクに適用する場合に必要な下り物理チャネル構造を考慮すると、従来のシグナリング伝送方法は次のようないくつかの問題がある。
【００１４】
１．既存の下りデータ／制御チャネルを利用する方法
前記方法は、既存のチャネル構造を変更しなければならないという問題があり、データチャネルを利用する場合は既存のチャネルの品質が低下し、また、シグナリング情報を伝送するための充分な伝送空間を確保することが難しい。
【００１５】
２．独立した直交コードチャネルを利用する方法
１）専用チャネルを利用する方法
前記専用チャネルを利用する方法は、チャネル割り当てと運営が柔軟かつ容易であるが、ダウンリンクの直交チャネルは重要な資源であるため、十分な量を使えない可能性が高い。さらに、コードの数が増加するにつれてＰＡＲ（Ｐｅａｋ  ｔｏ  Ａｖｅｒａｇｅ  Ｒａｔｉｏ）が大幅増加するという問題がある。
【００１６】
２）共有チャネルを利用する方法
・時分割多重化方法を使用する場合
時分割多重化方法は、時間を分割する方式であり、ＰＡＲが増加する問題がなく、実現が簡単であるという長所がある。反面、この方法は、データの数の変化に応じてシグナリングチャネルを流動的に割り当てることが難しく、従って、より多くのシグナリング情報が要求される。また、前記方法は、ユーザー別のチャネル状況に応じて流動的に電力を割り当てることが難しいという短所がある（資源の効率的な利用が難しい）。
【００１７】
・シンボル単位の符号分割多重化方法を使用する場合
シンボル単位の符号分割多重化方法は、時間遅延がなく、複数のユーザーが同時にシグナリング情報を伝送できるという長所があるが、ユーザーの数が多い場合、直交コードの長さを長くしなければならない。また、ユーザーの数又は伝送率が増加するほど、より多くの直交コードを使用しなければならないため、ＰＡＲが増加するという問題がある。
【００１８】
前記直交コードの場合、直交性を維持するためには、１周期間にチャネルが変化してはいけないが、コードの長さが長くなると、直交性が崩れる可能性が増加する。また、コードを使用できるユーザーを増加させるために、コードの長さを継続して増加させる場合は、コードの長さが伝送単位を超過するという問題が発生する。
【００１９】
また、伝送率を増加させるためには、一人のユーザーに多数の直交コードを割り当てなければならず、この場合は、一人のユーザーが多数の直交コードチャネルを受信しなければならないので、端末の複雑度が増加する。
【発明の開示】
【発明が解決しようとする課題】
【００２０】
本発明の目的は、コードチャネルの伝送及び割り当て効率を向上させる下り制御チャネルの構造を提供することにある。
【００２１】
本発明の他の目的は、アダマール符号をシルベスター（Ｓｙｌｖｅｓｔｅｒ）方法で拡張させることにより、多様な伝送率をサポートすると共に、低いＰＡＲを維持し得る下り制御チャネルの構造を提供することにある。
【００２２】
本発明のもう１つの目的は、直交コードチャネルを利用する下り制御チャネルにおいて時分割多重化方法とシンボル単位の符号分割方法との長所を組み合わせることにより、一層効率的に制御チャネルを割り当てる方法を提供することにある。
【００２３】
本発明のもう１つの目的は、新しい下り制御チャネルの構造で効率的な電力割り当て方法を提供することにある。
【課題を解決するための手段】
【００２４】
このような目的を達成するために、物理的共有チャネルをシグナリング情報を伝送するための制御チャネルとして使用するシステムにおいて、本発明に係る制御チャネルの構造は、単位チャネルを利用して１つの共有チャネルを時間単位及びシンボル単位の直交コードに同時に分割して構成することを特徴とする。
【００２５】
好ましくは、前記単位チャネルの長さは、その単位チャネルの初期生成時の基準である単位アダマール符号の長さにより決定される。
【００２６】
好ましくは、前記単位アダマール符号の長さは、多様な長さに拡張されてシグナリングチャネルとして使用される。
【００２７】
好ましくは、前記単位アダマール符号は、シルベスター方法により拡張される。
【００２８】
このような目的を達成するために、物理的共有チャネルをシグナリング情報を伝送するための制御チャネルとして使用するシステムにおいて、本発明に係る時間−符号分割多重化方法は、各シグナリング情報を特性に応じてグループに分類する段階と、該分類されたグループのシグナリング情報をコード及び時間区間を利用して割り当てる段階と、割り当てられた各コードチャネルを個別に電力制御して伝送する段階とから構成される。
【００２９】
好ましくは、前記各グループに対するチャネル割り当ては、アダマール符号を利用して行われる。
【００３０】
好ましくは、前記単位アダマール符号の長さは、多様な長さに拡張されてシグナリングチャネルとして使用される。この場合、前記単位アダマール符号は、シルベスター方法により拡張される。
【００３１】
好ましくは、前記各コードチャネルの電力は、上り（ｕｐｌｉｎｋ）送信電力又は送信電力マージンにより制御される。
【発明の効果】
【００３２】
本発明は、独立した直交コードチャネルを利用する下り制御チャネルにおいて、時分割多重化方式とシンボル単位の符号分割方式との長所を組み合わせることにより、一層流動的に制御チャネルにシグナリング情報を割り当てることができるという効果がある。
【００３３】
また、本発明は、単位アダマール符号をシルベスター方法により拡張させてチャネルを生成することにより、多様な伝送率をサポートすると共に、低いＰＡＲを維持することができ、特に、個別コード間の電力制御により少ない電力を利用して、高い伝送効率を得ることができるという効果がある。
【発明を実施するための最良の形態】
【００３４】
本発明は、第３世代移動体通信システムの標準化プロジェクト（３ｒｄ  Ｇｅｎｅｒａｔｉｏｎ  Ｐａｒｔｎｅｒｓｈｉｐ  Ｐｒｏｊｅｃｔ：  ３ＧＰＰ）により開発されたＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）のような移動通信システムにおいて実現される。しかしながら、本発明は、他の標準に準拠して動作する通信システムにも適用できる。
【００３５】
以下、本発明の好ましい実施形態を詳細に説明する。
【００３６】
本発明は、独立した直交コードチャネルを利用する下り制御チャネルにおいて、分割多重化方法とシンボル単位の符号分割方法との長所を組み合わせることにより、一層効率的に制御チャネルを割り当てることができる方法を提案する。
【００３７】
一般に、送信電力は、直交コードチャネル単位で調整することが有利であるため、直交コードチャネルの数が多い場合、電力資源を効率的に割り当てることができる。しかしながら、前記直交コードチャネルの数が増加するほど、ＰＡＲが増加するという問題があり、時分割多重化方法の場合は、１つの直交コードチャネルが存在するだけであるため、ビット配分及びユーザー別のチャネル状況に応じた個別的な電力割り当てが難しいという問題がある。従って、このような問題を解決するために、本発明は、短いアダマール符号を利用してコードチャネルを増加させた後、これを時分割する方式の新しいチャネル構造を提案する。
【００３８】
また、本発明は、前記アダマール符号がシルベスター方法により拡張できることから、多様な伝送率をサポートすると共に、低いＰＡＲを維持できる新しいチャネル構造を提案する。
【００３９】
また、本発明は、効率的な電力使用のために提案された新しいチャネル構造に個別に電力を割り当てる方法を提案する。このような伝送チャネルの電力は、アダマール符号チャネルごとに異なって適用される。
【００４０】
下り共有チャネルにおいて電力を効率的に分配するためには、各ユーザーの下りチャネルの特性を知る必要がある。しかしながら、少量のシグナリング情報のために各ユーザーに下りチャネルの特性をアップリンクを通じて報告することは、チャネルの浪費が多いため、他の基準を使用する必要がある。一般に、Ｅ−ＤＣＨや３ＧＰＰ２  Ｒｅｌｅａｓｅ−Ｄのようなシステムでは、スケジューリングのために送信電力又は送信電力マージンを報告しなければならず、この情報（送信電力又は送信電力マージン）は実際にダウンリンクにおける伝播減衰と密接な関係がある。従って、本発明では、前記情報を下りチャネル電力を決定するために使用することを提案する。
【００４１】
以下、時間−符号分割多重化方法をより詳細に説明する。
【００４２】
時間−符号分割多重化方式の制御チャネル構造
図１は、本発明に係る時間−符号分割多重化方法による制御チャネル割り当て方式の概念図である。
【００４３】
図１に示すように、１伝送区間（ＴＴＩ）をＭ個に分割したものが制御チャネルの基本割り当て単位であり、これを単位チャネルと定義する。前記単位チャネルの長さは、初期生成の基準であるアダマール符号の長さにより決定される。この場合、伝送及び割り当て効率を高めるために、短いアダマール符号が最初の生成基準となり、これを単位アダマール符号（Ｂａｓｉｃ  Ｈａｄａｍａｒｄ  Ｃｏｄｅ）と定義する。前記単位アダマール符号が短すぎる場合は、全体の使用可能な直交コードの数が制限される可能性があり、前記単位アダマール符号が長すぎる場合は、伝送チャネルの特性により直交性が崩れる可能性があるため、システムの構造とサービス環境応じて適正な長さに割り当てられなければならない。
【００４４】
また、前記単位アダマール符号は、シルベスター方法により新しいアダマール符号に拡張され、この拡張されたアダマール符号の長さは、単位アダマール符号の整数倍になる。従って、１つの単位チャネルにそれぞれ単位アダマール符号チャネル（ＣＨ１〜ＣＨＭ）が割り当てられることもあり、いくつかの単位チャネルに１つの拡張アダマール符号チャネル（ＣＨＭ＋１，  …，  ＣＨＫ＋１）が割り当てられることもある。前述したようなアダマール符号チャネルで１つの情報シンボルが伝送され、伝送ビットの数は変調方式によって異なる。
【００４５】
また、本発明で、伝送チャネルの電力は、アダマール符号チャネルごとに異なって適用される。下り共有チャネルにおいて電力を効率的に分配するためには、各ユーザーの下りチャネルの特性を知る必要がある。しかしながら、少量のシグナリング情報を伝送するために、各ユーザーに下りチャネルの特性を報告することはチャネルの浪費が激しいため、他の基準を使用しなければならない。
【００４６】
一般に、Ｅ−ＤＣＨや３ＧＰＰ２  Ｒｅｌｅａｓｅ−Ｄのようなシステムにおいて、端末は、スケジューリングのために送信電力又は送信電力マージンを報告するが、この値は、実際にダウンリンクにおける伝播減衰と密接な関係がある。従って、本発明では、前記端末の送信電力又は送信電力マージンを下りチャネル電力の決定のために使用する。
【００４７】
直交コードチャネルの構造とその生成及び拡張方式
まず、基準となるｎ０次元アダマール行列をＨ０とすると、これは、ｎｅ１次元アダマール行列である拡張行列Ｈｅ１に拡張でき、この拡張された行列Ｈｅ１は、再び拡張行列Ｈｅ２に連続的に拡張される。前記拡張された行列の次元は、拡張前の行列の次元にｎｅ１を乗算することにより得られる。従って、ｋ次拡張されたｎｋ次元アダマール行列Ｈｋは、以下の式（１）のように表現される。
【００４８】
Ｈｋ＝Ｈ０×Ｈｅ１×  ．．．×Ｈｅｋ    ………………………………  式（１）
ここで、Ｈｋの全ての行は、Ｈｋ−１の任意の行を直列に組み合わせることにより得られる。
【００４９】
このような拡張過程は、図２のようなツリー構造をなす。ここで、Ｈｉｊは、ｉ次拡張されたアダマール行列のｊ番目の行ベクトルであり、長さｎｉの直交コードを形成する。前記ツリー構造から生成できる直交コードの最大個数はｎｋであり、より短いコードを選択する度に、使用可能コードの個数が指数関数的に減少する。
【００５０】
最初の基準行列Ｈ０において、ｎ０＝ｐ＋１（ｐは素因数）で、ｎ０≡０（ｍｏｄ  ４）である場合、平方剰余（Ｑｕａｄｒａｔｉｃ  Ｒｅｓｉｄｕｅ）方式を利用すると、Ｈ０は、図３に示すように、循環アダマール行列の形態を有する。この場合、Ｈ０の１番目の行と列を除いた残りの行列は、循環遷移（ｃｉｒｃｕｌａｔｉｏｎ  ｔｒａｎｓｉｔｉｏｎ）構造を有する。このような構造では、アダマール符号検出のために１つの直交コードベクトルとオフセットさえ知っていれば、全てのコードチャネルに対する復調が可能であるので、端末の複雑度を減少させることができる。
【００５１】
まず、最初の基準行列と拡張行列を図３に示すように定義すると、これを利用した１次拡張行列は、次の式（２）の通りである。
【００５２】
【化１】
2006513677.tif 000003
この場合、使用できるコードチャネルの長さは、１２と２４の２つがある。長さ２４の伝送区間を仮定すると、長さ１２のコードチャネルで２つのシンボルが伝送でき、長さ２４のコードチャネルで１つのシンボルが伝送できる。
［＋１，  ＋１，  ＋１，  ＋１，  ＋１，  ＋１，．．．，  ＋１］がコードチャネルとして選択されると、長さ２４の前記拡張されたコードは全て使用できなくなる。すなわち、１つのアダマール符号により拡張されるコードは、上位コードが使用される場合に使用できなくなり、このような概念は図２に示す。ここで、使用できないコードの個数は、Ｈｅの次元と同一の値を有し、図２の概念を利用して長さ１２と２４のコードを組み合わせる場合の数は、図４に詳細に示す。
【００５３】
図４を参照すると、全ての場合に伝送シンボルの数は同一であるが、コードチャネルの数が異なることが分かる。一般に、コードチャネル数が減少するほど、ＰＡＲが減少するという長所があるが、長いコードを使用すると、より大きい拡散率を使用することになるので、同一の電力を使用してシンボルを伝送する場合、信号対雑音比（Ｓｉｇｎａｌ  ｔｏ  ｎｏｉｓｅ  ｒａｔｉｏ：  ＳＮＲ）の利得が３ｄＢとなる。このようなトレードオフ（ｔｒａｄｅ−ｏｆｆ）を考慮して適切に組み合わせると、多様なユーザーに適切なシグナリングチャネルを割り当てることができる。
【００５４】
図５は、提案された下りシグナリングチャネルをＣＤＭＡシステムに適用したときのブロック図である。
【００５５】
図５を参照すると、各ユーザー（端末）からシグナリング情報が受信されると、チャネルタイプ選択部１０は、上位レイヤの制御情報を利用して各チャネルコードの長さによって前記受信されたシグナリング情報を所定のグループに分類する。さらに、時間−符号分割多重化部（１１−１〜１１−ｎ）において、実際直交コードと時間区間が前記分類された各グループ内の情報に割り当てられて変調された後、コードチャネル別に電力制御部（１２−１〜１２−ｎ）において電力制御される。ここで、各電力制御部は、スケジューリングのためにユーザー（端末）から報告された送信電力又は送信電力マージンを利用して、各アダマール符号チャネルごとに伝送チャネルの電力を異なるように設定する。以後、前記電力制御されたそれぞれのコードチャネルは、結合部１３で結合された後、チャネル化部１４でＯＶＳＦ又はウォルシュ（Ｗａｌｓｈ）関数によりチャネル化されて伝送される。
【００５６】
また、本発明に係る下り制御チャネル構造を３ＧＰＰ  Ｅ−ＤＣＨシステムに適用する場合、伝送はＴＴＩ単位で行われ、ＴＴＩは２ｍｓ又は１０ｍｓとなる。この場合、データシンボルが拡散率（Ｓｐｒｅａｄｉｎｇ  Ｆａｃｔｏｒ：  ＳＦ）（ＳＦ＝６４）で帯域拡散されると仮定すると、１つのＴＴＩ内に存在する３ＧＰＰシンボルの数は、それぞれ１２０（２ｍｓ）、６００（１０ｍｓ）である。ＳＦ＝６４で、長さ１２又は２０のアダマール符号を基準としてコードチャネルを生成する場合、アダマール符号の長さが１２の場合は１０（２ｍｓ）及び５０（１０ｍｓ）個の単位チャネルが生成され、アダマール符号の長さが２０の場合は６（２ｍｓ）及び３０（１０ｍｓ）個の単位チャネルが生成される。この場合、１つのＴＴＩ区間で伝送可能なデータシンボルの数は、それぞれ１２０（２ｍｓ）及び６００（１０ｍｓ）である。ここで、要求されるシグナリング情報の特性によりシグナリング情報が、長さ１２と２４又は２０と４０のコードチャネルに割り当てられて使用される。
【００５７】
高い信頼度のためにシンボルをＳＦ＝１２８で帯域拡散すると仮定すると、１つのＴＴＩ内に存在する３ＧＰＰシンボルの数は、それぞれ６０（２ｍｓ）及び３００（１０ｍｓ）である。従って、長さ１２又は２０のアダマール符号を基準にコードチャネルを生成するとき、アダマール符号の長さが１２の場合は、５（２ｍｓ）及び２５（１０ｍｓ）個の単位チャネルが生成され、アダマール符号の長さが２０の場合は、３（２ｍｓ）及び１５（１０ｍｓ）個の単位チャネルが生成される。この場合、１つのＴＴＩ区間で伝送可能なデータシンボルの数は、それぞれ６０（２ｍｓ）及び３００（１０ｍｓ）である。
【００５８】
拡張されたアダマール符号を使用する場合、６０と３００が長さ２４又は４０で余りなしに割れないため、この場合は、２４や４０を使用したコードチャネルの区間をそれぞれの倍数区間に限定し、残りの区間は長さ１２や２０の直交コードを使用する方法を採択することができる。
【００５９】
一方、３ＧＰＰ２の場合、伝送はフレーム単位で行われ、前記フレーム単位は、それぞれ５ｍｓ、１０ｍｓ及び２０ｍｓなどが考慮される。ＳＦ＝１２８の場合を仮定すると、それぞれのフレーム区間に４８個、９６個、１９２個のシンボルが伝送され、この場合、長さ１２の単位チャネルを利用すると、コードチャネル（アダマール符号）は長さ２４と４８などに拡張することができる。従って、３ＧＰＰと同様に、３ＧＰＰ２においてもそれぞれのシグナリング情報の特性により長さ１２、２４及び４８などのコードチャネルにシグナリング情報を割り当てて使用することができる。
【００６０】
チャネル割り当て規則
チャネル割り当ては、多様な基準により決定されるが、同時ユーザーの数、個別ユーザーの伝送データ率、個別ユーザーのチャネル状況、基地局の送信電力、基地局送信アンプにおける出力ＰＡＲなどが最も重要な基準になる。本発明では、基地局の観点から電力を効率的に使用するために、次のようなチャネル割り当て基準を提案する。
【００６１】
同一の地形的特性又は下りチャネル特性を有するユーザーがグループに分類された後、各ユーザーグループに同一のコードチャネルが割り当てられ、グループごとにコードチャネルが最適の送信電力を使用して伝送される。低い電力又は高い伝送率を要求するグループは、短いアダマール符号チャネルに割り当てられ、高い電力又は低い伝送率を要求するグループは、長いアダマール符号チャネルに割り当てられる。
【００６２】
この場合、グループ割り当ては、要求されるＳＮＲと各ユーザーの伝送率を基準に分類されるが、詳しい分類基準は、システム設計者の選択要素である。従って、各グループに対するチャネル割り当てのとき、高いＳＮＲ及び低い伝送率を有するチャネルに優先的に長いコードチャネルが割り当てられる。詳しいチャネル割り当て規則は、次の通りである。
【００６３】
１．
【００６４】
【化２】
2006513677.tif 000004
であると、グループｇにｋ個の単位アダマール符号が割り当られ、
【００６５】
【化３】
2006513677.tif 000005
ビットは、次のグループｇ＋１に移動する。
【００６６】
２．グループｇに対して、Ｐｇ、Ｎｇ  、Ｐｇ，ｂを計算する。
【００６７】
３．Ｐｇ，ｂ＞２ｎ−１  Ｐｔｈであると、基地局は、前記割り当てられた単位アダマール符号をｎ次拡張した後、伝送ビットを割り当てる。
【００６８】
４．グループｇの送信電力を
【００６９】
【化４】
2006513677.tif 000006
に決定する。
【００７０】
５．全てのグループに対して前記過程を繰り返す。
【００７１】
ここで、Ｎｂは、１つのＴＴＩ／フレーム内で伝送可能なビットの総数であり、Ｎｇは、グループｇに属する全ての伝送ビットの数であり、Ｐｇは、グループｇに属するビットを伝送するための総要求電力である。また、
【００７２】
【化５】
2006513677.tif 000007
はグループｇの１ビット当たりの平均要求電力であり、Ｐｔｈは、ダウンリンク伝送の最大電力の上限を示す。
【００７３】
すなわち、図６に示すように、まず、同一の地形的特性又は下りチャネル特性を有するユーザーをグループ化した後（Ｓ１０）、各グループに特定シグネチャ（ｓｉｇｎａｔｕｒｅ）チャネルを割り当てる（Ｓ１１）。次いで、割り当て規則１に示したように、伝送ビット数によりグループｇにｋ個の単位アダマール符号を割り当てた後、割り当て規則２に従って前記グループｇに対するＰｇ、Ｎｇ、Ｐｇ，ｂなどを計算する。また、前記グループｇは、前記割り当て規則２により再構成される。
【００７４】
その後、割り当て規則３に示したように、基地局は、グループｇの１ビット当たりの平均要求電力
【００７５】
【化６】
2006513677.tif 000008
が最大送信電力（Ｐｔｈ）より大きいか否かをチェックし、前記１ビット当たりの平均要求電力が最大送信電力より大きいと、単位アダマール符号をｎ次拡張した後、伝送ビットを割り当てる。
【００７６】
一旦、伝送ビットが割り当てられると、グループｇに該当する送信電力、すなわち、前記拡張されたアダマール符号チャネルの送信電力を決定する。前記動作は、段階Ｓ１２で、全てのグループに対して繰り返して行われる。従って、全てのグループにチャネルが割り当てられ、前記割り当てられたチャネルの送信電力が決定されると、送信段階（Ｓ１３）が行われる。
【００７７】
本発明は、図面に示した実施形態を参考として説明されてきたが、これは例示的なものに過ぎず、本技術分野の通常の知識を持つ者であれば、ここから多様な変形及び均等な他の実施形態が可能であるという点が理解されるべきである。従って、本発明の実際の技術的保護範囲は添付された特許請求の範囲の技術的思想により決定されるべきである。
【図面の簡単な説明】
【００７８】
【図１】本発明に係る時間−符号分割多重化方法を利用したシグナリングチャネル割り当て方法の概念図である。
【図２】シグナリングのためのアダマール符号の拡張ツリーを示す図である。
【図３】最初の基準行列と拡張行列を示す図である。
【図４】特定伝送区間で、長さ１２と２４のコードを組み合わせることにより得られる場合の数を示す図である。
【図５】本発明に係る時間−符号分割多重化方法をＣＤＭＡシステムに適用したときのブロック図である。
【図６】本発明に係る時間−符号分割多重化方法を利用したシグナリングチャネル割り当て方法を示すフローチャートである。
【図１】
2006513677.tif 000009
【図２】
2006513677.tif 000010
【図３】
2006513677.tif 000011
【図４】
2006513677.tif 000012
【図５】
2006513677.tif 000013
【図６】
2006513677.tif 000014
【国際調査報告】
2006513677.tif 000015
2006513677.tif 000016